(57)【要約】【課題】シャント装置において逆流防止用のダイオードの短絡故障に起因するバス短絡を確実に防止する。【解決手段】シャント装置１３は、制御器１７と、保護機構３０と、シャント用のスイッチング素子１６と、逆流防止用のダイオード１８とを備える。スイッチング素子１６は、外部の太陽電池１１から電力を受けるための入力端子３１と、外部の負荷１５に対して電力を出力するための出力端子３２との間に並列に接続されている。ダイオード１８は、スイッチング素子１６と出力端子３２との間に直列に接続されている。制御器１７は、負荷１５の電圧を検出し、検出した電圧に基づいてスイッチング素子１６のオンオフを制御する。保護機構３０は、負荷１５からダイオード１８に逆流する電流である逆電流を検出した場合に、制御器１７による制御に関わらずスイッチング素子１６をオフに制御する。【選択図】図１
2017143607.tif 000002
【特許請求の範囲】
【請求項１】
外部の太陽電池から電力を受けるための入力端子と、
外部の負荷に対して電力を出力するための出力端子と、
前記入力端子と前記出力端子との間に並列に接続されたシャント用のスイッチング素子と、
前記スイッチング素子と前記出力端子との間に直列に接続された逆流防止用のダイオードと、
前記負荷の電圧を検出し、検出した電圧に基づいて前記スイッチング素子のオンオフを制御する制御器と、
前記負荷から前記ダイオードに逆流する電流である逆電流と、前記スイッチング素子に流れる、閾値を超えた電流である過電流とのいずれかを検出した場合に、前記制御器による制御に関わらず前記スイッチング素子をオフに制御する保護機構と
を備えるシャント装置。
【請求項２】
前記スイッチング素子に直列に接続され、前記スイッチング素子がオンのときに前記スイッチング素子に流れる電流により発生するエネルギーを蓄積し、前記スイッチング素子がオフのときに当該エネルギーを放出する電流制限用の電磁誘導素子
をさらに備える請求項１に記載のシャント装置。
【請求項３】
前記保護機構は、前記ダイオードに流れる電流を検出する電流検出回路を有し、前記電流検出回路が前記逆電流を検出した場合に、前記制御器による制御に関わらず前記スイッチング素子をオフに制御する請求項１又は２に記載のシャント装置。
【請求項４】
前記電流検出回路は、前記ダイオードのカソードに接続された端子を有し、この端子を介して、前記ダイオードに流れる電流を検出する請求項３に記載のシャント装置。
【請求項５】
前記電流検出回路は、前記ダイオードのアノードに接続された端子を有し、この端子を介して、前記ダイオードに流れる電流を検出する請求項３に記載のシャント装置。
【請求項６】
前記保護機構は、前記スイッチング素子に流れる電流を検出する電流検出回路を有し、前記電流検出回路が前記過電流を検出した場合に、前記制御器による制御に関わらず前記スイッチング素子をオフに制御する請求項１又は２に記載のシャント装置。
【請求項７】
前記スイッチング素子は、電界効果トランジスタであり、
前記電流検出回路は、前記スイッチング素子のドレインに接続された端子を有し、この端子を介して、前記スイッチング素子に流れる電流を検出する請求項６に記載のシャント装置。
【請求項８】
前記スイッチング素子は、電界効果トランジスタであり、
前記電流検出回路は、前記スイッチング素子のソースに接続された端子を有し、この端子を介して、前記スイッチング素子に流れる電流を検出する請求項６に記載のシャント装置。
【請求項９】
請求項１から８のいずれか１項に記載のシャント装置と、
前記シャント装置の前記入力端子に接続された太陽電池と
を備える電力システム。
【請求項１０】
請求項９に記載の電力システムと、
前記シャント装置の前記出力端子に接続された負荷と
を備える宇宙構造物。
【発明の詳細な説明】
【技術分野】
【０００１】
本発明は、シャント装置、電力システム及び宇宙構造物に関するものである。
【背景技術】
【０００２】
従来、人工衛星（以下、単に「衛星」ともいう）等の宇宙構造物の太陽電池パドルで発生した電力を負荷に電圧安定化して供給するために、余剰電力をシャントするシャント装置がある（例えば、特許文献１参照）。
【０００３】
従来のシャント装置は、日照時に太陽電池アレイから発生する電力を、衛星負荷の駆動、及び、バッテリの充電のために利用する。余剰電力がある場合、シャント装置は、特定の太陽電池アレイ出力を短絡することで余剰電力をシャントする。これにより、余剰電力によるバス電圧の上昇が抑えられる。
【０００４】
従来のシャント装置は、余剰電力のシャント用のＦＥＴ（電界効果トランジスタ）とともに、衛星負荷から太陽電池パネル側への電流の逆流防止用のブロッキングダイオードを備えている。シャント用のＦＥＴがオンの場合、太陽電池パネルでの発生電流はシャント用のＦＥＴでシャントされ、太陽電池パネルへ回生される。シャント用のＦＥＴがオフの場合、太陽電池パネルでの発生電流は逆流防止用のブロッキングダイオードを経由して、衛星負荷に出力される。
【０００５】
人工衛星搭載機器には、単一部品故障によるシステムの機能停止を防ぐため、冗長設計が要求される。上記のブロッキングダイオードについても、単一部品故障によるバス短絡を防止するために、太陽電池アレイ出力に対して直列冗長接続された２つのブロッキングダイオードが使用される。このため、ブロッキングダイオードを通過する電流による電力ロス、すなわち、発熱がブロッキングダイオード単一構成の場合と比較して２倍となり、装置の低発熱化、小型軽量化を阻害する要因となっている。
【０００６】
これを防ぐためにブロッキングダイオードを単一構成とし、ブロッキングダイオードの短絡故障を検出した場合にシャント用のＦＥＴをオフにする技術が提案されている（例えば、特許文献２参照）。
【先行技術文献】
【特許文献】
【０００７】
【特許文献１】特開昭６２−１２３５１４号公報
【特許文献２】特開２０１１−１９３６５号公報
【発明の概要】
【発明が解決しようとする課題】
【０００８】
上記の技術では、シャント用のＦＥＴと直列にコイルが接続される。シャント用のＦＥＴがオンになった後、太陽電池アレイからシャント用のＦＥＴへ印加される電圧がコイルのインダクタンスにより規定時間内に降下しなければ、ブロッキングダイオードが短絡故障していると判断されてシャント用のＦＥＴがオフにされる。しかし、ブロッキングダイオードの持つ抵抗値が徐々に低下してブロッキングダイオードが短絡故障に至った場合には、衛星負荷側から流れる逆流電流の単位時間当たりの変化量ｄｉ／ｄｔが小さい。そのため、太陽電池アレイからシャント用のＦＥＴへ印加される電圧が規定時間内に降下してしまい、ブロッキングダイオードの短絡故障を検出できないおそれがある。
【０００９】
本発明は、シャント装置において逆流防止用のダイオードの短絡故障に起因するバス短絡を確実に防止することを目的とする。
【課題を解決するための手段】
【００１０】
本発明の一態様に係るシャント装置は、
外部の太陽電池から電力を受けるための入力端子と、
外部の負荷に対して電力を出力するための出力端子と、
前記入力端子と前記出力端子との間に並列に接続されたシャント用のスイッチング素子と、
前記スイッチング素子と前記出力端子との間に直列に接続された逆流防止用のダイオードと、
前記負荷の電圧を検出し、検出した電圧に基づいて前記スイッチング素子のオンオフを制御する制御器と、
前記負荷から前記ダイオードに逆流する電流である逆電流と、前記スイッチング素子に流れる、閾値を超えた電流である過電流とのいずれかを検出した場合に、前記制御器による制御に関わらず前記スイッチング素子をオフに制御する保護機構とを備える。
【発明の効果】
【００１１】
本発明では、シャント装置の保護機構が逆流防止用のダイオードにおける逆電流とシャント用のスイッチング素子における過電流とのいずれかを直接検出してシャント用のスイッチング素子をオフにするため、逆流防止用のダイオードの短絡故障に起因するバス短絡を確実に防止することが可能となる。
【図面の簡単な説明】
【００１２】
【図１】実施の形態１に係るシャント装置を備える宇宙構造物の構成を示す回路図。
【図２】実施の形態２に係るシャント装置を備える宇宙構造物の構成を示す回路図。
【図３】実施の形態３に係るシャント装置を備える宇宙構造物の構成を示す回路図。
【図４】実施の形態４に係るシャント装置を備える宇宙構造物の構成を示す回路図。
【発明を実施するための形態】
【００１３】
以下、本発明の実施の形態について、図を用いて説明する。なお、各図中、同一又は相当する部分には、同一符号を付している。実施の形態の説明において、同一又は相当する部分については、その説明を適宜省略又は簡略化する。
【００１４】
実施の形態１．
本実施の形態に係る装置等の構成、本実施の形態に係る装置の動作、本実施の形態の効果を順番に説明する。
【００１５】
＊＊＊構成の説明＊＊＊
図１を参照して、本実施の形態に係る装置であるシャント装置１３を備える宇宙構造物９０の構成を説明する。
【００１６】
宇宙構造物９０は、具体的には、人工衛星であるが、宇宙ステーション等、他の宇宙構造物でもよい。
【００１７】
宇宙構造物９０は、電力システム１０と、シャント装置１３の出力端子３２に接続された負荷１５とを備える。
【００１８】
電力システム１０は、ディジタル型のシャント装置１３と、シャント装置１３の入力端子３１に接続された太陽電池１１とを備える。本実施の形態において、電力システム１０は、さらに、シャント装置１３の出力端子３２と負荷１５との間に並列に接続されたキャパシタであるエネルギーバンク１４を備える。
【００１９】
太陽電池１１は、具体的には、太陽電池パネルである。
【００２０】
シャント装置１３は、太陽電池１１及び浮遊容量１２の並列回路と、エネルギーバンク１４及び負荷１５の並列回路との間に接続されている。太陽電池１１、浮遊容量１２、エネルギーバンク１４及び負荷１５は、それぞれ一端が接地されている。
【００２１】
シャント装置１３は、前述した入力端子３１及び出力端子３２のほかに、制御器１７と、保護機構３０と、シャント用のスイッチング素子１６と、逆流防止用のダイオード１８とを備える。
【００２２】
入力端子３１は、シャント装置１３の外部の太陽電池１１から電力を受けるための端子である。
【００２３】
出力端子３２は、シャント装置１３の外部の負荷１５に対して電力を出力するための端子である。
【００２４】
スイッチング素子１６は、入力端子３１と出力端子３２との間に並列に接続されている。スイッチング素子１６は、本実施の形態ではＦＥＴである。
【００２５】
ダイオード１８は、スイッチング素子１６と出力端子３２との間に直列に接続されている。ダイオード１８は、単一構成となっており、太陽電池１１と負荷１５との間の逆流防止用素子として機能する。
【００２６】
制御器１７は、負荷１５の電圧を検出する。具体的には、制御器１７は、エネルギーバンク１４の高電位側に接続された端子を有しており、この端子を介して、エネルギーバンク１４から負荷１５に印加される電圧を検出する。制御器１７は、検出した電圧に基づいてスイッチング素子１６のオンオフを制御する。
【００２７】
保護機構３０は、負荷１５からダイオード１８に逆流する電流である逆電流を検出した場合に、制御器１７による制御に関わらずスイッチング素子１６をオフに制御する。
【００２８】
本実施の形態において、保護機構３０は、電流検出回路１９を有している。電流検出回路１９は、ダイオード１８に流れる電流を検出する回路である。電流検出回路１９は、本実施の形態では、ダイオード１８のカソードに接続された端子を有し、この端子を介して、ダイオード１８に流れる電流を検出する。保護機構３０は、電流検出回路１９がダイオード１８のカソードに流れ込む逆電流を検出した場合に、制御器１７による制御に関わらずスイッチング素子１６をオフに制御する。これにより、バス短絡を防止することができる。
【００２９】
本実施の形態において、シャント装置１３は、さらに、電流制限用の電磁誘導素子２３を備える。
【００３０】
電磁誘導素子２３は、スイッチング素子１６に直列に接続されている。電磁誘導素子２３は、スイッチング素子１６がオンのときにスイッチング素子１６に流れる電流により発生するエネルギーを蓄積し、スイッチング素子１６がオフのときに当該エネルギーを放出する。電磁誘導素子２３は、本実施の形態ではコイルである。
【００３１】
図１に示すように、スイッチング素子１６は、ソースが電磁誘導素子２３の一端に接続され、ドレインが入力端子３１とダイオード１８のアノードに接続されている。電磁誘導素子２３の他端は、接地されている。ダイオード１８のカソードは、出力端子３２に接続されている。
【００３２】
制御器１７は、入力側の端子がエネルギーバンク１４に接続され、出力側の端子がスイッチング素子１６のゲートに接続されている。
【００３３】
電流検出回路１９は、入力側の端子がダイオード１８のカソードと出力端子３２との間の経路に接続され、出力側の端子がスイッチング素子１６のゲートに接続されている。電流検出回路１９は、ダイオード１８のカソードと出力端子３２との間を流れる電流をモニタする。電流検出回路１９は、負荷１５からダイオード１８を経由してスイッチング素子１６のソースへ逆流する電流が発生した場合には、スイッチング素子１６をオフに制御するリミッタ回路として動作する。
【００３４】
電磁誘導素子２３は、負荷１５からダイオード１８を経由してスイッチング素子１６のソースへ逆流する電流が発生した場合には、流れる電流量を抑制する。
【００３５】
＊＊＊動作の説明＊＊＊
図１を参照して、本実施の形態に係る装置であるシャント装置１３の動作を説明する。シャント装置１３の動作は、本実施の形態に係るシャント方法に相当する。
【００３６】
制御器１７は、太陽電池１１の発生電力をスイッチング素子１６でオンオフ制御することで、負荷１５側の安定化制御を行う。
【００３７】
制御器１７は、エネルギーバンク１４の電圧をモニタし、モニタした電圧が規定値よりも高い場合は、制御信号によりスイッチング素子１６をオンにして、太陽電池１１での発生電流をシャントする。一方、制御器１７は、モニタした電圧が規定値よりも低い場合は、制御信号によりスイッチング素子１６をオフにして、太陽電池１１での発生電流を、ダイオード１８を介して負荷１５に供給する。
【００３８】
スイッチング素子１６がオンになっており、かつ、ダイオード１８の短絡故障が発生した場合には、デッドショートとなり、バス短絡が起こってしまう。そこで、電流検出回路１９は、負荷１５からスイッチング素子１６のソースへ逆流する電流を検出し、スイッチング素子１６をオフにすることでバス短絡を防止する。
【００３９】
負荷１５からスイッチング素子１６のソースへ逆流する電流が流れ始めてから、電流検出回路１９がこの逆流電流を検出し、スイッチング素子１６をオフにするまでの間に、スイッチング素子１６の安全動作領域外の電流量の逆流電流が流れてしまう可能性がある。しかし、本実施の形態では、スイッチング素子１６のソースに電流制限用のコイルである電磁誘導素子２３が接続されているため、逆流電流量の急激な上昇が抑制される。よって、ダイオード１８の短絡故障時にもスイッチング素子１６を安全動作領域内で動作させることができる。
【００４０】
＊＊＊実施の形態の効果の説明＊＊＊
本実施の形態では、シャント装置１３の保護機構３０が逆流防止用のダイオード１８における逆電流を直接検出してシャント用のスイッチング素子１６をオフにするため、逆流防止用のダイオード１８の短絡故障に起因するバス短絡を確実に防止することが可能となる。
【００４１】
本実施の形態によれば、衛星負荷の逆流防止のためのブロッキングダイオードを単一構成とすることで、ブロッキングダイオードを２つ直列構成で使用する場合に比してシャント装置１３の発熱を大幅に低減することが可能となる。ブロッキングダイオードの単一部品故障が発生した場合には、衛星負荷の逆流経路に付加された電流検出回路１９が逆流電流を検出してシャント用のＦＥＴをオフにすることにより、ブロッキングダイオードの短絡故障に起因するバス短絡を防止することが可能となる。
【００４２】
電流検出回路１９が衛星負荷からの逆流電流を検出し、シャント用のＦＥＴをオフにするまでの時間で、シャント用のＦＥＴの安全動作領域外の逆流電流が流れてしまう可能性がある。しかし、本実施の形態では、電流制限用のコイルによって逆流電流を抑制することで、ブロッキングダイオードの短絡故障時にシャント用のＦＥＴを安全動作領域内で動作させることが可能となる。
【００４３】
本実施の形態では、電流検出回路１９が衛星負荷側からの逆流電流を直接検出する。そのため、ブロッキングダイオードの持つ抵抗値が徐々に低下してブロッキングダイオードが短絡故障に至った場合にも、逆流電流の単位時間当たりの変化量ｄｉ／ｄｔに依存せずブロッキングダイオードの短絡故障を検出し、バス短絡を防止することが可能となる。
【００４４】
＊＊＊他の構成＊＊＊
本実施の形態では、シャント装置１３の保護機構３０が有する電流検出回路１９が、逆電流を検出するだけでなく、逆電流を検出した場合にスイッチング素子１６をオフにする制御も行うが、電流検出回路１９とは別の要素が、この制御を行ってもよい。すなわち、保護機構３０は、電流検出回路１９が逆電流を検出した場合に制御器１７による制御に関わらずスイッチング素子１６をオフに制御する制御部を、電流検出回路１９とは別個に有していてもよい。
【００４５】
実施の形態２．
本実施の形態に係る装置等の構成、本実施の形態に係る装置等の動作、本実施の形態の効果を順番に説明する。主に実施の形態１との差異を説明する。
【００４６】
＊＊＊構成の説明＊＊＊
図２を参照して、本実施の形態に係る装置であるシャント装置１３を備える宇宙構造物９０の構成を説明する。
【００４７】
宇宙構造物９０の構成については、シャント装置１３の内部構成を除き、図１に示した実施の形態１のものと同じである。
【００４８】
シャント装置１３は、実施の形態１と同じように、入力端子３１及び出力端子３２のほかに、制御器１７と、保護機構３０と、シャント用のスイッチング素子１６と、逆流防止用のダイオード１８とを備える。シャント装置１３は、さらに、電流制限用の電磁誘導素子２３を備える。
【００４９】
入力端子３１及び出力端子３２については、図１に示した実施の形態１のものと同じである。制御器１７とスイッチング素子１６とダイオード１８と電磁誘導素子２３とについても、図１に示した実施の形態１のものと同じである。
【００５０】
保護機構３０は、実施の形態１と同じように、負荷１５からダイオード１８に逆流する電流である逆電流を検出した場合に、制御器１７による制御に関わらずスイッチング素子１６をオフに制御する。
【００５１】
本実施の形態において、保護機構３０は、電流検出回路２０を有している。電流検出回路２０は、実施の形態１における電流検出回路１９と同じように、ダイオード１８に流れる電流を検出する回路である。電流検出回路２０は、本実施の形態では、実施の形態１における電流検出回路１９と異なり、ダイオード１８のアノードに接続された端子を有し、この端子を介して、ダイオード１８に流れる電流を検出する。保護機構３０は、電流検出回路２０がダイオード１８のアノードから流れ出す逆電流を検出した場合に、制御器１７による制御に関わらずスイッチング素子１６をオフに制御する。これにより、バス短絡を防止することができる。
【００５２】
図２に示すように、電流検出回路２０は、入力側の端子が入力端子３１とスイッチング素子１６のドレインとの接続点と、ダイオード１８のアノードとの間の経路に接続され、出力側の端子がスイッチング素子１６のゲートに接続されている。電流検出回路２０は、入力端子３１とスイッチング素子１６のドレインとの接続点と、ダイオード１８のアノードとの間を流れる電流をモニタする。電流検出回路２０は、負荷１５からダイオード１８を経由してスイッチング素子１６のソースへ逆流する電流が発生した場合には、スイッチング素子１６をオフに制御するリミッタ回路として動作する。
【００５３】
＊＊＊動作の説明＊＊＊
図２を参照して、本実施の形態に係る装置であるシャント装置１３の動作を説明する。シャント装置１３の動作は、本実施の形態に係るシャント方法に相当する。
【００５４】
制御器１７は、実施の形態１と同じように、負荷１５側の安定化制御を行う。
【００５５】
スイッチング素子１６がオンになっており、かつ、ダイオード１８の短絡故障が発生した場合には、デッドショートとなり、バス短絡が起こってしまう。そこで、電流検出回路２０は、負荷１５からスイッチング素子１６のソースへ逆流する電流を検出し、スイッチング素子１６をオフにすることでバス短絡を防止する。
【００５６】
＊＊＊実施の形態の効果の説明＊＊＊
本実施の形態では、実施の形態１と同じように、シャント装置１３の保護機構３０が逆流防止用のダイオード１８における逆電流を直接検出してシャント用のスイッチング素子１６をオフにするため、逆流防止用のダイオード１８の短絡故障に起因するバス短絡を確実に防止することが可能となる。
【００５７】
実施の形態３．
本実施の形態に係る装置等の構成、本実施の形態に係る装置等の動作、本実施の形態の効果を順番に説明する。主に実施の形態１との差異を説明する。
【００５８】
＊＊＊構成の説明＊＊＊
図３を参照して、本実施の形態に係る装置であるシャント装置１３を備える宇宙構造物９０の構成を説明する。
【００５９】
宇宙構造物９０の構成については、シャント装置１３の内部構成を除き、図１に示した実施の形態１のものと同じである。
【００６０】
シャント装置１３は、実施の形態１と同じように、入力端子３１及び出力端子３２のほかに、制御器１７と、保護機構３０と、シャント用のスイッチング素子１６と、逆流防止用のダイオード１８とを備える。シャント装置１３は、さらに、電流制限用の電磁誘導素子２３を備える。
【００６１】
入力端子３１及び出力端子３２については、図１に示した実施の形態１のものと同じである。制御器１７とスイッチング素子１６とダイオード１８と電磁誘導素子２３とについても、図１に示した実施の形態１のものと同じである。
【００６２】
保護機構３０は、実施の形態１と異なり、スイッチング素子１６に流れる、閾値を超えた電流である過電流を検出した場合に、制御器１７による制御に関わらずスイッチング素子１６をオフに制御する。
【００６３】
本実施の形態において、保護機構３０は、電流検出回路２１を有している。電流検出回路２１は、実施の形態１における電流検出回路１９と異なり、スイッチング素子１６に流れる電流を検出する回路である。電流検出回路２１は、本実施の形態では、スイッチング素子１６のドレインに接続された端子を有し、この端子を介して、スイッチング素子１６に流れる電流を検出する。保護機構３０は、電流検出回路２１がスイッチング素子１６のドレインに流れ込む過電流を検出した場合に、制御器１７による制御に関わらずスイッチング素子１６をオフに制御する。これにより、バス短絡を防止することができる。
【００６４】
図３に示すように、電流検出回路２１は、入力側の端子が入力端子３１とダイオード１８のアノードとの接続点と、スイッチング素子１６のドレインとの間の経路に接続され、出力側の端子がスイッチング素子１６のゲートに接続されている。電流検出回路２１は、スイッチング素子１６のドレイン電流をモニタする。電流検出回路２１は、スイッチング素子１６のドレイン電流が閾値を超える過大な電流となった場合には、スイッチング素子１６をオフに制御するリミッタ回路として動作する。
【００６５】
＊＊＊動作の説明＊＊＊
図３を参照して、本実施の形態に係る装置であるシャント装置１３の動作を説明する。シャント装置１３の動作は、本実施の形態に係るシャント方法に相当する。
【００６６】
制御器１７は、実施の形態１と同じように、負荷１５側の安定化制御を行う。
【００６７】
スイッチング素子１６がオンになっており、かつ、ダイオード１８の短絡故障が発生した場合には、デッドショートとなり、バス短絡が起こってしまう。そこで、電流検出回路２１は、スイッチング素子１６のドレイン電流が過大な電流となったことを検出し、スイッチング素子１６をオフにすることでバス短絡を防止する。
【００６８】
＊＊＊実施の形態の効果の説明＊＊＊
本実施の形態では、シャント装置１３の保護機構３０がシャント用のスイッチング素子１６における過電流を直接検出してシャント用のスイッチング素子１６をオフにするため、逆流防止用のダイオード１８の短絡故障に起因するバス短絡を確実に防止することが可能となる。
【００６９】
本実施の形態によれば、実施の形態１と同じように、衛星負荷の逆流防止のためのブロッキングダイオードを単一構成とすることで、ブロッキングダイオードを２つ直列構成で使用する場合に比してシャント装置１３の発熱を大幅に低減することが可能となる。ブロッキングダイオードの単一部品故障が発生した場合には、衛星負荷の逆流経路に付加された電流検出回路２０が逆流電流により過大となるシャント用のＦＥＴのドレイン電流を検出してシャント用のＦＥＴをオフにすることにより、ブロッキングダイオードの短絡故障に起因するバス短絡を防止することが可能となる。
【００７０】
本実施の形態では、実施の形態１と同じように、電流制限用のコイルによって逆流電流を抑制することで、ブロッキングダイオードの短絡故障時にシャント用のＦＥＴを安全動作領域内で動作させることが可能となる。
【００７１】
本実施の形態では、電流検出回路２０が衛星負荷側からの逆流電流により発生する過電流を直接検出する。そのため、ブロッキングダイオードの持つ抵抗値が徐々に低下してブロッキングダイオードが短絡故障に至った場合にも、逆流電流の単位時間当たりの変化量ｄｉ／ｄｔに依存せずブロッキングダイオードの短絡故障を検出し、バス短絡を防止することが可能となる。
【００７２】
＊＊＊他の構成＊＊＊
本実施の形態では、シャント装置１３の保護機構３０が有する電流検出回路２１が、過電流を検出するだけでなく、過電流を検出した場合にスイッチング素子１６をオフにする制御も行うが、電流検出回路２１とは別の要素が、この制御を行ってもよい。すなわち、保護機構３０は、電流検出回路２１が過電流を検出した場合に制御器１７による制御に関わらずスイッチング素子１６をオフに制御する制御部を、電流検出回路２１とは別個に有していてもよい。
【００７３】
実施の形態４．
本実施の形態に係る装置等の構成、本実施の形態に係る装置等の動作、本実施の形態の効果を順番に説明する。主に実施の形態３との差異を説明する。
【００７４】
＊＊＊構成の説明＊＊＊
図４を参照して、本実施の形態に係る装置であるシャント装置１３を備える宇宙構造物９０の構成を説明する。
【００７５】
宇宙構造物９０の構成については、シャント装置１３の内部構成を除き、図３に示した実施の形態３のものと同じである。
【００７６】
シャント装置１３は、実施の形態３と同じように、入力端子３１及び出力端子３２のほかに、制御器１７と、保護機構３０と、シャント用のスイッチング素子１６と、逆流防止用のダイオード１８とを備える。シャント装置１３は、さらに、電流制限用の電磁誘導素子２３を備える。
【００７７】
入力端子３１及び出力端子３２については、図３に示した実施の形態３のものと同じである。制御器１７とスイッチング素子１６とダイオード１８と電磁誘導素子２３とについても、図３に示した実施の形態３のものと同じである。
【００７８】
保護機構３０は、実施の形態３と同じように、スイッチング素子１６に流れる、閾値を超えた電流である過電流を検出した場合に、制御器１７による制御に関わらずスイッチング素子１６をオフに制御する。
【００７９】
本実施の形態において、保護機構３０は、電流検出回路２２を有している。電流検出回路２２は、実施の形態３における電流検出回路２１と同じように、スイッチング素子１６に流れる電流を検出する回路である。電流検出回路２２は、本実施の形態では、実施の形態３における電流検出回路２１と異なり、スイッチング素子１６のソースに接続された端子を有し、この端子を介して、スイッチング素子１６に流れる電流を検出する。保護機構３０は、電流検出回路２２がスイッチング素子１６のソースから流れ出す過電流を検出した場合に、制御器１７による制御に関わらずスイッチング素子１６をオフに制御する。これにより、バス短絡を防止することができる。
【００８０】
図４に示すように、電流検出回路２２は、入力側の端子がスイッチング素子１６のソースと電磁誘導素子２３との間の経路に接続され、出力側の端子がスイッチング素子１６のゲートに接続されている。電流検出回路２２は、スイッチング素子１６のソース電流をモニタする。電流検出回路２２は、スイッチング素子１６のソース電流が閾値を超える過大な電流となった場合には、スイッチング素子１６をオフに制御するリミッタ回路として動作する。
【００８１】
＊＊＊動作の説明＊＊＊
図４を参照して、本実施の形態に係る装置であるシャント装置１３の動作を説明する。シャント装置１３の動作は、本実施の形態に係るシャント方法に相当する。
【００８２】
制御器１７は、実施の形態３と同じように、負荷１５側の安定化制御を行う。
【００８３】
スイッチング素子１６がオンになっており、かつ、ダイオード１８の短絡故障が発生した場合には、デッドショートとなり、バス短絡が起こってしまう。そこで、電流検出回路２２は、スイッチング素子１６のソース電流が過大な電流となったことを検出し、スイッチング素子１６をオフにすることでバス短絡を防止する。
【００８４】
＊＊＊実施の形態の効果の説明＊＊＊
本実施の形態では、実施の形態３と同じように、シャント装置１３の保護機構３０がシャント用のスイッチング素子１６における過電流を直接検出してシャント用のスイッチング素子１６をオフにするため、逆流防止用のダイオード１８の短絡故障に起因するバス短絡を確実に防止することが可能となる。
【００８５】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。なお、本発明は、これらの実施の形態に限定されるものではなく、必要に応じて種々の変更が可能である。
【符号の説明】
【００８６】
１０  電力システム、１１  太陽電池、１２  浮遊容量、１３  シャント装置、１４  エネルギーバンク、１５  負荷、１６  スイッチング素子、１７  制御器、１８  ダイオード、１９  電流検出回路、２０  電流検出回路、２１  電流検出回路、２２  電流検出回路、２３  電磁誘導素子、３０  保護機構、３１  入力端子、３２  出力端子、９０  宇宙構造物。
【図１】
2017143607.tif 000003
【図２】
2017143607.tif 000004
【図３】
2017143607.tif 000005
【図４】
2017143607.tif 000006